(57)【要約】【課題】  定着不良を回避しつつ、画像データのトナー載量から定着温度を決定するのに要する処理時間を短縮する。【解決手段】  第一の解像度を有する画像データを、前記第一の解像度よりも小さい第二の解像度を有する画像データに変換し、変換された前記第二の解像度を有する画像データの画素の値に基づき、色材を記録媒体に定着する定着部の温度を決定し、前記解像度変換処理は、前記第一の解像度を有する画像データにおける隣り合う２つの画素の値の大きいほうの値が、前記第二の解像度を有する画像データにおける対応する１つの画素の上位ビットの値になるように変換を行う。【選択図】  図７
2016218369.tif 000002
【特許請求の範囲】
【請求項１】
第一の解像度を有する画像データを、前記第一の解像度よりも小さい第二の解像度を有する画像データに変換する解像度変換手段と、
前記解像度変換手段によって変換された前記第二の解像度を有する画像データの画素の値に基づき、色材を記録媒体に定着する定着部の温度を決定する決定手段とを有し、
前記解像度変換手段は、前記第一の解像度を有する画像データにおける隣り合う２つの画素の値の大きいほうの値が、前記第二の解像度を有する画像データにおける対応する１つの画素の上位ビットの値になるように変換を行うことを特徴とする画像形成装置。
【請求項２】
前記第一の解像度を有する画像データが２値データであり、前記隣り合う２つの画素の値がそれぞれ左から０と１の場合、前記第二の解像度を有する画像データにおける対応する１つの画素の値を２進数の１０に変換することを特徴とする請求項１に記載の画像形成装置。
【請求項３】
前記第一の解像度を有する画像データが２値データであり、前記隣り合う２つの画素の値がそれぞれ左から１と１の場合、前記第二の解像度を有する画像データにおける対応する１つの画素の値を２進数の１１に変換し、前記隣り合う２つの画素の値がそれぞれ左から１と０の場合、前記第二の解像度を有する画像データにおける対応する１つの画素の値を２進数の１０に変換し、前記隣り合う２つの画素の値がそれぞれ左から０と０の場合、前記第二の解像度を有する画像データにおける対応する１つの画素の値を２進数の００に変換することを特徴とする請求項１または２に記載の画像形成装置。
【請求項４】
前記第一の解像度を有する画像データの画素のビット数は、前記第二の解像度を有する画像データの画素のビット数よりも小さいことを特徴とする請求項１乃至３のいずれか一項に記載の画像形成装置。
【請求項５】
第一の解像度を有する画像データを、前記第一の解像度よりも小さい第二の解像度を有する画像データに変換する解像度変換ステップと、
前記解像度変換ステップによって変換された前記第二の解像度を有する画像データの画素の値に基づき、色材を記録媒体に定着する定着部の温度を決定する決定ステップとを有し、
前記解像度変換ステップは、前記第一の解像度を有する画像データにおける隣り合う２つの画素の値の大きいほうの値が、前記第二の解像度を有する画像データにおける対応する１つの画素の上位ビットの値になるように変換を行うことを特徴とする画像形成方法。
【請求項６】
コンピュータを請求項１乃至４のいずれか一項に記載の画像形成装置として機能させるためのプログラム。
【発明の詳細な説明】
【技術分野】
【０００１】
本発明は、色材を記録媒体上に定着する定着部の温度を制御する画像形成装置、画像形成方法、プログラムに関する。
【背景技術】
【０００２】
電子写真方式により形成されたトナー画像を記録紙上に熱定着する画像形成装置において、記録紙上に載せる単位面積当たりの色材量（以下、トナー載量と呼ぶ）に応じて、定着装置での定着温度を決定する技術が知られている。特許文献１では、トナー載量に応じて定着器の定着温度を調節することにより、画像形成装置で使用される消費電力を低減する技術が開示されている。
【先行技術文献】
【特許文献】
【０００３】
【特許文献１】特開２０１３−７６９５３号公報
【発明の概要】
【発明が解決しようとする課題】
【０００４】
画像データの解像度が高い場合、画像データのトナー載量を算出する処理は、処理時間が大きくなる。そこで、画像データの解像度を低解像度に変換して、低解像度画像からトナー載量を算出する方法が考えられる。しかし、画像データの解像度を図８（ａ）に示すように単純に低解像度画像に変換すると、低解像度画像に対するトナー載量の算出結果が、解像度変換前の画像データに対するトナー載量の算出結果に比べて低くなる場合がある。その場合、解像度変換後の画像データに対するトナー載量の算出結果に基づく定着温度で印刷した場合、定着温度が低いため定着不良を起こしてしまう恐れがある。
【課題を解決するための手段】
【０００５】
本発明の画像形成装置は、第一の解像度を有する画像データを、前記第一の解像度よりも小さい第二の解像度を有する画像データに変換する解像度変換手段と、前記解像度変換手段によって変換された前記第二の解像度を有する画像データの画素の値に基づき、色材を記録媒体に定着する定着部の温度を決定する決定手段とを有し、前記解像度変換手段は、前記第一の解像度を有する画像データにおける隣り合う２つの画素の値の大きいほうの値が、前記第二の解像度を有する画像データにおける対応する１つの画素の上位ビットの値になるように変換を行うことを特徴とする。
【発明の効果】
【０００６】
本発明によれば、画像データをより低い解像度に変換してトナー載量及び定着温度の決定処理を行うことで処理時間を短縮でき、かつ定着不良を起こすことなく印刷できる。
【図面の簡単な説明】
【０００７】
【図１】本発明の実施例１における、画像形成装置を含むシステム構成のブロック図である。
【図２】本発明の実施例１における、画像形成装置のブロック図である。
【図３】本発明の実施例１における、プリンタ部のブロック図である。
【図４】本発明の実施例１における、トナー載量と定着温度の関係を示す表である。
【図５】本発明の実施例１における、トナー載量と定着温度の関係を示すグラフである。
【図６】本発明の第一及び第二の実施形態における、省エネモードの制御フローを示す図である。
【図７】本発明の第一及び第二の実施形態における、解像度変換前後の画素値を表す図である。
【図８】本発明の第一及び第二の実施形態における、解像度変換時の画素値の変換方法を表す図である。
【図９】本発明の第一及び第二の実施形態における、画素値変換した際の画素値の変化を表した表である。
【図１０】本発明の第二の実施形態における、画像形成装置のブロック図である。
【発明を実施するための形態】
【０００８】
以下、本発明を実施するための形態について図面を用いて説明する。
【実施例１】
【０００９】
本発明に係る実施例１について説明する。図１は、本発明の実施例における、画像形成装置１００を含むシステム構成を示すブロック図である。画像形成装置１００は、クライアントＰＣ１０１とネットワークを介して接続され、クライアントＰＣ１０１から受信した各種入力データを処理し、画像形成を行って印刷物を出力する。クライアントＰＣ１０１は転送時間を短縮するためＣＭＹＫ画像データをエンコードし、画像形成装置に送信する。
【００１０】
図２は本実施例における、画像形成装置１００の構成を示すブロック図である。各ブロック間の信号の送信はシステムバス２０１を介して行われる。ＣＰＵ２０２及びサブＣＰＵ２０５は、ＲＯＭ２０３に記憶された制御プログラムを読み出して印刷制御等の各種制御を実行する。ＲＡＭ２０４は、ＣＰＵ２０２及びサブＣＰＵ２０５のメモリ、ワークエリア等の一部領域として用いられる。サブＣＰＵ２０５は、クライアントＰＣ１０１からネットワーク及びネットワークＩ／Ｆ２１１を介して送信されるエンコードデータをデコードし、デコードデータをより低い解像度に変換し、トナー載量の算出及び定着温度の決定を行う。操作部２０６は、表示部２０７を備えている。操作部２０６で入力した情報がＣＰＵ２０２に送信され、ＣＰＵ２０２が所望の処理を行い、それに伴い操作部２０６の表示部２０７で表示を行う。ＨＤＤ２０８は多くの画像データを長期間保存することができる。スキャナ部２０９で読み取られた原稿の画像データは、印刷や保存、転送等の用途に用いられる。プリンタ部２１０で印刷すべき画像データは、プリンタ部２１０に送信され、プリンタ部２１０において用紙上に印刷される。ネットワークＩ／Ｆ２１１は、ネットワークを介してクライアントＰＣ１０１等と画像データや各種情報を送信、または受信する。
【００１１】
図３は、プリンタ部２１０の構成を示す図である。中間転写体３０８を採用したタンデム方式であり、図３を用いて、画像形成装置１００における画像形成の動作を説明する。
【００１２】
帯電手段は、Ｙ、Ｍ、Ｃ、Ｋの色毎に感光体３０２Ｙ、３０２Ｍ、３０２Ｃ、３０２Ｋを帯電させるための４個の注入帯電器３０３Ｙ、３０３Ｍ、３０３Ｃ、３０３Ｋを備える構成である。各注入帯電器は、スリーブ３０３ＹＳ、３０３ＭＳ、３０３ＣＳ、３０３ＫＳを備えている。
【００１３】
感光体３０２Ｙ、３０２Ｍ、３０２Ｃ、３０２Ｋは、駆動モータ３２０Ｙ、３２０Ｍ、３２０Ｃ、３２０Ｋの駆動力が伝達されて回転するもので、駆動モータは感光体３０２Ｙ、３０２Ｍ、３０２Ｃ、３０２Ｋを画像形成動作に応じて反時計回り方向に回転させる。
【００１４】
露光手段は、感光体３０２Ｙ、３０２Ｍ、３０２Ｃ、３０２Ｋへ照射部３０４Ｙ、３０４Ｍ、３０４Ｃ、３０４Ｋより光を照射し、感光体３０２Ｙ、３０２Ｍ、３０２Ｃ、３０２Ｋの表面を選択的に露光することにより、静電潜像を形成するように構成している。
【００１５】
現像手段は、静電潜像を可視化するために、Ｙ、Ｍ、Ｃ、Ｋの色毎に現像を行う４個の現像器３０６Ｙ、３０６Ｍ、３０６Ｃ、３０６Ｋを備える構成である。各現像器は、スリーブ３０６ＹＳ、３０６ＭＳ、３０６ＣＳ、３０６ＫＳが設けられている。なお、各々の現像器２６は脱着が可能である。
【００１６】
転写手段は、感光体３０２から中間転写体３０８へ単色トナー像を転写するために、中間転写体３０８を時計周り方向に回転させる。そして感光体３０２Ｙ、３０２Ｍ、３０２Ｃ、３０２Ｋとその対向に位置する一次転写ローラ３０７Ｙ、３０７Ｍ、３０７Ｃ、３０７Ｋの回転に伴って、単色トナー像を転写する。一次転写ローラ３０７に適当なバイアス電圧を印加すると共に感光体３０２の回転速度と中間転写体３０８の回転速度に差をつけることにより、効率良く単色トナー像を中間転写体３０８上に転写する。これを一次転写という。
【００１７】
更に転写手段は、ステーション毎に単色トナー像を中間転写体３０８上に重ね合わせ、重ね合わせた多色トナー像を中間転写体３０８の回転に伴い二次転写ローラ３０９まで搬送する。記録媒体３３０は、給紙トレイ３０１ａあるいは給紙トレイ３０１ｂから給紙され、搬送経路中のローラによって二次転写ローラ３０９へ搬送される。中間転写体３０８上の多色トナー像は、二次転写ローラ３０９へ狭持搬送される記録媒体３３０上に転写される。二次転写とは、二次転写ローラ３０９に適当なバイアス電圧を印加することにより、中間転写体上３０８のトナー像を静電的に転写することをいう。二次転写ローラ３０９は、記録媒体３３０上に多色トナー像を転写している間、３０９ａの位置で記録媒体３３０に当接し、印字処理後は３０９ｂの位置に移動し、中間転写体３０８から離間する。
【００１８】
定着装置３１１（定着部）は、記録媒体３３０に転写された多色トナー像を記録媒体３３０に溶融定着させるために、記録媒体３３０を加熱する定着ローラ３１２と記録媒体３３０を定着ローラ３１２に圧接させるための加圧ローラ３１３を備えている。定着ローラ３１２と加圧ローラ３１３は中空状に形成され、内部にそれぞれヒータ３１４、３１５が内蔵されている。定着装置３１１は、多色トナー像を保持した記録媒体３３０を定着ローラ３１２と加圧ローラ３１３により搬送するとともに、熱および圧力を加え、トナーを記録媒体上３３０に定着させる。この定着部には不図示の温度センサが取り付けられており、定着に十分な温度が確認された時、初めて定着動作が行われるように制御される。トナー定着後の記録媒体３３０は、その後排出ローラ３３１によって排紙トレイ３３２に排出して画像形成動作を終了する。
【００１９】
クリーニング手段３１０は、中間転写体３０８上に残ったトナーをクリーニングするものであり、中間転写体３０８上に形成された４色の多色トナー像を記録媒体３３０に転写した後に残った廃トナーは、クリーナ容器に蓄えられる。
【００２０】
次に、本実施例に係る画像形成装置１００におけるトナー載量算出方法について説明する。ここで、トナー載量とは単位面積あたりのトナー量（色材量）のことを意味し、単位を％として説明する。例えば単位面積を１画素とした場合、Ｃ、Ｍ、Ｙ、Ｋ各色の最大値を１００％とした時に、最大値を２色重ねた場合にその画素は２００％のトナー載量と定義する。各色階調性を持っている画像データであった場合、各色０〜１００％までの間を取りうる。例えば、フルカラー印刷モードでＣ、Ｍ、Ｙ、Ｋの４色トナーをフルに利用した画像データの場合は最大トナー載量は４色の合計であるため多くなり、Ｋ単色のモノクロ画像の場合、最大トナー載量は１色であるため少なくなる。最終的にページ内の最大値をそのページのトナー載量情報として保持する。
【００２１】
次に、本実施例に係る画像形成装置１００において印刷出力する画像データの定着に必要となる定着部の温度を決定する方法について、図４、図５を用いて説明する。前述したように、トナー載量とは画像上の単位面積あたりのトナー量のことを意味している。定着不良なくトナーを定着させるためには、定着器の温度を対象ページ中のトナー載量の最大値が確実に定着できる温度に設定する必要がある。印刷する画像データにより、最大トナー載量が異なるため、定着温度も画像データごとに異なり、最大トナー載量が大きいほど定着温度も高く設定する。従って、図４においては、Ｔ５、Ｔ４、Ｔ３、Ｔ２、Ｔ１という順に定着温度が高くなる。
【００２２】
図５は、本実施例に係る画像形成装置１００のトナー載量と定着温度の関係を示したグラフである。横軸はトナー載量を表しており、縦軸は定着温度を示している。例えば、対象ページのトナー載量情報が２００％の場合、定着温度はＴ１に設定し、１００％の場合はＴ５に設定する。本実施例において、トナー載量に対応した定着温度は、図４で示すようなトナー載量と定着温度との関係をルックアップテーブルの形でＲＡＭ２０４等にあらかじめ記憶しておき、算出したトナー載量に従ってテーブルを参照することで決定する。
【００２３】
次に、本実施例にかかる画像形成装置１００における制御フローを、図６を用いて説明する。ステップＳ６０１において、ＣＰＵ２０２は、クライアントＰＣ１０１からＣＭＹＫ画像のエンコードデータをネットワーク及びネットワークＩ／Ｆ２１１を介して受信し、ＲＡＭ２０４に書き込む。なお、ステップＳ６０１で受信されるエンコードデータは、１ページ、または、複数ページからなるエンコードデータである。また、ＣＰＵ２０２は、画像データの解像度が６００ｄｐｉまたは１２００ｄｐｉのどちらであるかといった解像度を示すデータをクライアントＰＣ１０１からエンコードデータと一緒に受信し、ＲＡＭ２０４に書き込む。解像度を示すデータは、６００ｄｐｉである場合は０、１２００ｄｐｉである場合は１といったデータである。ステップＳ６０２において、サブＣＰＵ２０５は、ＲＡＭ２０４に書き込まれたＣＭＹＫ画像のエンコードデータをデコードすることで画像データに戻す。ステップＳ６０３において、サブＣＰＵ２０５はステップＳ６０１でＣＰＵ２０２がＲＡＭ２０４に書き込んだ解像度を示すデータを参照し、６００ｄｐｉであればＳ６０５へ移行し１２００ｄｐｉであればステップＳ６０４へ移行する。
【００２４】
ステップＳ６０４において、サブＣＰＵ２０５は、画像データに対して解像度変換処理を行う。図７は、解像度変換前の画像データの解像度が１２００ｄｐｉで画素値が１ＢＰＰ（Ｂｉｔ  Ｐｅｒ  Ｐｉｘｅｌ）（２値データ）であった場合の画像データの一部の画素値と、解像度変換により２ＢＰＰとなった画像データの一部の画素値を示した図である。解像度変換前の隣り合う２画素（１ＢＰＰ）の画素値を１画素（２ＢＰＰ）に変換する。解像度変換前の画像データの画素のビット数は、解像度変換後の画素のビット数よりも小さい。これにより主走査方向の画素値が１２００ｄｐｉの半分になる。つまり、解像度変換後の画像データの主走査方向は６００ｄｐｉ、副走査方向は１２００ｄｐｉと同じ画素数となり、解像度変換前の画素数の半分となるため、画素値をもとにトナー載量算出処理を行う場合、処理時間が短縮できる。
【００２５】
まず、図８（ａ）は、解像度変換前の隣り合う２画素（１ＢＰＰ）の画素値を１画素（２ＢＰＰ）に単純に変換した際の変換方法を示した図である。解像度変換前の隣り合う２画素が０と０の場合は００（２進数）、０と１の場合は０１（２進数）、１と０の場合は１０（２進数）、１と１の場合は１１（２進数）といったように変換する。解像度変換前の隣り合う２画素が０と０の時の画素値の合計値は０＋０で０、０と１または１と０は０＋１または１＋０で１、１と１は１＋１で２である。解像度変換後の画素値は前述の通り１と１のときは１１（２進数）であり、合計値の２と比べて１．５倍となっている。それに対して、０と１のときは０１（２進数）で合計値の１倍、１と０のときは１０（２進数）で合計値の２倍となっており、解像度変換前の画素値の合計値は０と１、１と０で同じ１であるのに、解像度変換後の画素値では２倍の差が出てしまう。また、解像度変換前と解像度変換後で合計値が同じ（１倍）となる０と１の場合を基準としたとき、前述したとおり１と０の場合は２倍、１と１の時は１．５倍と、１倍である０と１の場合との倍率の差が大きくなる。そのため、解像度変換後の画素値を基にトナー載量算出及び定着温度の決定処理を行った場合、定着不良は回避できるが解像度変換したことによるトナー載量算出結果の誤差が大きくなり、定着温度も高くなり消費電力削減効果が大きく低下する恐れがある。逆に合計値が２倍となる１と０、または１．５倍となる１と１を基準としたとき、１倍となる０と１は相対的に画素値が下がってしまう。そのため、解像度変換後の画素値を基にトナー載量算出及び定着温度の決定処理を行った場合、解像度変換前の画素値を基にトナー載量算出及び定着温度の決定処理を行った場合と比較して、定着温度が下がってしまい、定着不良を起こす恐れがある。
【００２６】
次に、図８（ｂ）は、解像度変換前の隣り合う２画素の画素値を１画素に変換する際の新たな変換方法を示した図である。解像度変換前の隣り合う２画素が０と０の場合は００（２進数）、０と１の場合は１０（２進数）、１と０の場合は１０（２進数）、１と１の場合は１１（２進数）と変換する。すなわち、解像度変換前の画像における隣り合う２つの画素の値の大きい方の値が、解像度変換後の画像における対応する１つの画素の上位ビットの値になるように変換する。この変換方法であれば、０と１、１と０のとき共に２倍となり解像度変換後の画素値も差が出ない。また合計値が１．５倍となる１と１を基準としたとき、０と１、１と０の時共に２倍であり倍率の差は小さいため前述した図８（ａ）の変換方法と比べて解像度変換したことによるトナー載量算出結果の誤差も小さく、かつ相対的に画素値が大きくなる。そのため、解像度変換後の画素値を基にトナー載量算出及び定着温度の決定処理を行った場合、誤差により定着温度が高くなるのを抑えられるため消費電力削減効果の低下も抑えられ、かつ定着不良を回避することができる。
【００２７】
ステップＳ６０５において、サブＣＰＵ２０５は画像データの解像度が６００ｄｐｉである場合は、ステップＳ６０２でデコードした画像データからトナー載量及び定着温度の決定処理を開始する。また、画像データの解像度が１２００ｄｐｉである場合は、ステップＳ６０４で解像度変換した画像データからトナー載量及び定着温度の決定処理を開始する。ステップＳ６０６において、サブＣＰＵ２０５で定着温度の決定まで終了したらステップＳ６０７に移行する。ステップＳ６０７において、サブＣＰＵ２０５はステップＳ６０５、ステップＳ６０６で決定した定着温度をプリンタ部２１０に送信し、プリンタ部２１０はサブＣＰＵ２０５から受信した定着温度で定着、印刷を実行する。ステップＳ６０８において、全ページ終了していれば処理を終了し、そうでなければステップＳ６０２に移行する。
【００２８】
以上説明した通り、画像データが１２００ｄｐｉの時は低い解像度へ変換してからトナー載量算出及び定着温度の決定処理を行う。これにより、１２００ｄｐｉの時に画像データを解像度変換せずにトナー載量算出及び定着温度の決定処理を行う場合と比べて処理時間を短縮することができる。また、解像度変換する際の画素値の変換は解像度変換後の画像データに対するトナー載量算出及び定着温度の決定処理の結果が、解像度変換前の画像データに対するトナー載量算出及び定着温度の決定処理の結果を下回らないように変換する。これにより、解像度変換後の画像データに対するトナー載量算出及び定着温度の決定処理の結果を用いても定着不良を起こすことなく印刷することができる。
【００２９】
本実施例では、サブＣＰＵ２０５においてＣＭＹＫ画像のエンコードデータのデコード、画像データの解像度変換、トナー載量を算出、定着温度の決定を行ったが、ＣＰＵ２０２または専用回路を用いて行ってもよい。また、スキャナ部２０９で読み込んだ画像をＣＰＵ２０２でＣＭＹＫ画像データにした後、サブＣＰＵ２０５でトナー載量算出及び定着温度の決定を行ってもよい。また、画像データの画素値からトナー載量算出処理を行ったが、その他のデータや、方法でトナー載量の算出及び定着温度の決定を行ってもよい。また、解像度変換前の解像度及び解像度変換後の解像度は任意の画素数であってもよい。また、画素値変換前の画素数及び画素値変換後の画素数はそれぞれ任意の画素数であってもよい。
【実施例２】
【００３０】
本発明に係る実施例２について説明する。実施例１ではサブＣＰＵ２０５でトナー載量を算出した。本実施例では、よりトナー載量算出の処理時間を短縮するためにトナー載量の算出を専用回路で行う場合の画像形成装置１００について説明する。
【００３１】
図１０は本実施例における、画像形成装置１００の構成を示すブロック図である。２０１〜２１１は実施例１の図２の２０１〜２１１と同様であるので説明を割愛する。トナー載量算出処理専用回路２１２は、サブＣＰＵ２０５の指示に従って、ＲＡＭ２０４上に書き込まれたデコードデータである画像データまたは解像度変換後の画像データを取得し、トナー載量算出処理を行い、算出結果をＲＡＭ２０４に書き込む。またトナー載量算出処理専用回路２１２は２ＢＰＰ画像データのみに対するトナー載量算出処理機能持たないため、回路規模は小さい。
【００３２】
本実施例における制御フローを示す図は実施例１の図６と同様であるため割愛する。ステップＳ６０１及びステップＳ６０２は実施例１と同様であるため説明を割愛する。ステップＳ６０３において、サブＣＰＵ２０５はステップＳ６０１でＣＰＵ２０２がＲＡＭ２０４に書き込んだ解像度を示すデータを参照する。６００ｄｐｉであればステップＳ６０２で生成したデコードデータである画像データをＲＡＭ２０４に書き込みＳ６０５へ移行し、１２００ｄｐｉであればステップＳ６０４へ移行する。ステップＳ６０４において、サブＣＰＵ２０５は実施例１の図８（ｂ）と同じ画素値変換方法で解像度変換を行い、解像度変換後の画像データをＲＡＭ２０４上に書き込む。ステップＳ６０５において、サブＣＰＵ２０５はトナー載量算出専用回路２１２に対して、ステップＳ６０３またはステップ６０４でＲＡＭ２０４に書き込んだ画像データまたは解像度変換後の画像データに対してトナー載量算出処理を行うように通知する。サブＣＰＵ２０５から通知を受けたトナー載量算出専用回路２１２はトナー載量算出処理を実行し、その結果をＲＡＭ２０４に書き込んだ後サブＣＰＵ２０５に処理が終了したことを通知する。この時、解像度変換前の画像データが１２００ｄｐｉ（１ＢＰＰ）であってもステップＳ６０４で図８（ｂ）の変換を行うことで２ＢＰＰの画像データに変換されているため６００ｄｐｉ（２ＢＰＰ）と同じ専用回路で処理することができる。そのため、回路規模の増加を抑えることができる。サブＣＰＵ２０５はトナー載量算出専用回路２１２からの処理終了通知を受けて、ＲＡＭ２０４からトナー載量算出結果を読み込み定着温度の決定処理を行う。ステップＳ６０６〜Ｓ６０８は実施例１と同様であるため説明を割愛する。
【００３３】
以上説明した通り、画像データが１２００ｄｐｉの時、図８（ｂ）の画素値変換方法で解像度変換を行うことで、６００ｄｐｉと同じトナー載量算出処理専用回路を使ってトナー載量算出処理を行う。これにより、トナー載量算出処理を専用回路で行うことで実施例１よりさらに処理時間が短縮でき、かつ回路規模の増加も小さく抑えることができる。
【００３４】
本実施例では、１２００ｄｐｉ（１ＢＰＰ）と６００ｄｐｉ（２ＢＰＰ）を共通のトナー載量算出処理専用回路でトナー載量算出処理を行ったが、その他の解像度で共通化してもよい。また、図８（ｂ）の画素値変換も専用回路で行ってもよい。
【００３５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2016218369.tif 000003
【図２】
2016218369.tif 000004
【図３】
2016218369.tif 000005
【図４】
2016218369.tif 000006
【図５】
2016218369.tif 000007
【図６】
2016218369.tif 000008
【図７】
2016218369.tif 000009
【図８】
2016218369.tif 000010
【図９】
2016218369.tif 000011
【図１０】
2016218369.tif 000012